(57)【要約】【課題】多数のパラメータのプリセット値を確認するにあたって、操作を簡略化してユーザの使い勝手を向上させる。【解決手段】映像に応じた複数のパラメータが予めプリセットされており、所定の操作を行うことにより、パラメータをスクリーン上に表示する機能を備えたプロジェクタにおいて、メニュー画面中の画質に関する項目（Ｐｉｃｔｕｒｅ）が選択され、プリセットに関する項目（Ｐｒｅｓｅｔ）が選択され、かつ、プリセット値が適用される映像に関する項目（Ｖｉｄｅｏ１）が選択されたことに基づいて、画質パラメータのプリセット値が表示された第１のウィンドウ５２と、このウィンドウ５２に表示されていないパラメータのプリセット値が表示された第２のウィンドウ５４とをスクリーン上に並べて表示する。【選択図】図２Ｅ
2007178746.tif 000002
【特許請求の範囲】
【請求項１】
映像に応じた複数のパラメータが予めメモリにプリセットされており、操作部で所定の操作を行うことにより、前記パラメータをスクリーン上に表示する機能を備え、前記操作部は、スクリーン上にメニュー画面を表示するためのメニューキーと、スクリーン上にプリセット画面を表示するためのプリセットキーとを有するプロジェクタにおいて、
前記操作部でメニューキーが操作された場合は、前記メニュー画面中の画質に関する項目が選択され、プリセットに関する項目が選択され、かつ、前記パラメータのプリセット値が適用される映像に関する項目が選択されたことに基づいて、当該映像に関する画質パラメータのプリセット値が表示された第１のウィンドウと、この第１のウィンドウに表示されていないパラメータのプリセット値が表示された第２のウィンドウとをスクリーン上に並べて表示し、
前記操作部でプリセットキーが操作された場合は、前記プリセット画面において、前記パラメータのプリセット値が適用される映像に関する項目が選択されたことに基づいて、当該映像に関する画質パラメータおよび画質以外のパラメータの各プリセット値が一覧表示された第３のウィンドウをスクリーン上に表示することを特徴とするプロジェクタ。
【請求項２】
映像に応じた複数のパラメータが予めメモリにプリセットされており、操作部で所定の操作を行うことにより、前記パラメータをスクリーン上に表示する機能を備えたプロジェクタにおいて、
前記スクリーン上でパラメータに関する所定項目が選択され、プリセットに関する項目が選択され、かつ、前記パラメータのプリセット値が適用される映像に関する項目が選択されたことに基づいて、前記所定項目についてのパラメータのプリセット値が表示された第１のウィンドウと、この第１のウィンドウに表示されていないパラメータのプリセット値が表示された第２のウィンドウとをスクリーン上に並べて表示することを特徴とするプロジェクタ。
【請求項３】
請求項２に記載のプロジェクタにおいて、
前記操作部は、スクリーン上にメニュー画面を表示するためのメニューキーと、スクリーン上にプリセット画面を表示するためのプリセットキーとを有し、
前記操作部でメニューキーが操作された場合は、前記各項目の選択に基づいて、前記第１のウィンドウと第２のウィンドウとをスクリーン上に並べて表示し、
前記操作部でプリセットキーが操作された場合は、前記プリセット画面において、前記パラメータのプリセット値が適用される映像に関する項目が選択されたことに基づいて、前記所定項目についてのパラメータのプリセット値および前記所定項目以外の項目についてのパラメータのプリセット値が一覧表示された第３のウィンドウをスクリーン上に表示することを特徴とするプロジェクタ。
【請求項４】
請求項２または請求項３に記載のプロジェクタにおいて、
前記プリセット値の適用によって変更されたパラメータの表示態様を、変更のないパラメータの表示態様と異ならせたことを特徴とするプロジェクタ。
【発明の詳細な説明】
【技術分野】
【０００１】
本発明はプロジェクタに関し、特に、パラメータのプリセット値を表示する技術に関するものである。
【背景技術】
【０００２】
プロジェクタは、外部から入力されるビデオ信号やグラフィック信号などの映像信号に基づき、ＤＭＤ（Digital Micromirror Device）等の画像形成素子で画像を形成し、この画像をレンズで拡大してスクリーン上に投影する映像表示機器である。このようなプロジェクタは、会議等において、パーソナル・コンピュータ（以下「パソコン」という。）で作成した資料をスクリーンに映し出すプレゼンテーション用の機器として、あるいは、家庭において、ＤＶＤ（Digital Versatile Disk）で再生した映像をスクリーンに映し出すホームシアター用の機器として、今日広く普及している。
【０００３】
ところで、プロジェクタで映像を表示するにあたっては、様々なパラメータが用いられる。例えば、映像の画質に関するパラメータとしては、明るさ、コントラスト、色合い、シャープネス、色温度、赤色・緑色・青色ゲインなどがある。また、映像の表示に関するパラメータとしては、左右反転、上下反転、台形歪み補正などがある。このようなパラメータは、製品の工場出荷時にデフォルト値に設定されているが、ユーザの手に渡った後は各パラメータを自由に変更できるようになっている。
【０００４】
また、プロジェクタには、投射する映像に応じた最適のパラメータを予めメモリに設定しておき、この設定値を現在の映像に適用するプリセット機能を備えたものがある。この機能を使うと、例えば、パソコンで作成した資料を映し出すときは、プレゼンテーション用に設定されたパラメータを適用し、ＤＶＤの再生映像を映し出すときは、ビデオ用に設定されたパラメータを適用することで、入力信号に応じたパラメータにより最適の映像を得ることができる。
【０００５】
しかしながら、その一方で、プロジェクタのパラメータの種類は、上述したように非常に多いため、プリセット機能を利用した場合、どのようなパラメータ（プリセット値）が適用されたのかを確認するのがきわめて煩雑となる。以下、これについて具体的に説明する。
【０００６】
図７〜図９は、従来のプロジェクタにおけるプリセット値表示の手順を説明する画面図である。最初に、プロジェクタ本体に設けられているメニューキー、またはプロジェクタに付属しているリモコンのメニューキーを押すと、図７Ａに示すようなメインメニュー画面１０１がスクリーン上に表示される。この画面１０１には、終了（Ｅｘｉｔ）、画像（Ｐｉｃｔｕｒｅ）、設定（Ｓｅｔｔｉｎｇ）、情報（Ａｂｏｕｔ）の各項目が表示されている。
【０００７】
続いて、このメインメニュー画面１０１で例えば「Ｐｉｃｔｕｒｅ」にカーソルＫを合わせて実行操作を行うと、図７Ｂに示すように、メインメニュー画面１０１の横にピクチャ画面１０２が表示される。この画面１０２には、明るさ（Ｂｒｉｇｈｔｎｅｓｓ）、コントラスト（Ｃｏｎｔｒａｓｔ）、色合い（Ｔｉｎｔ）、色（Ｃｏｌｏｒ）の各パラメータのデフォルト値（ここでは、いずれも５０）が表示されている。また、戻り（Ｐｒｅｖｉｏｕｓ）、プリセット（Ｐｒｅｓｅｔ）、詳細設定（Ａｄｖａｎｃｅｄ）の各項目も表示されている。
【０００８】
次に、このピクチャ画面１０２で「Ｐｒｅｓｅｔ」にカーソルＫを合わせて実行操作を行うと、図７Ｃに示すように、ピクチャ画面１０２の横にプリセット画面１０３が表示される。この画面１０３には、プレゼンテーション（Ｐｒｅｓｅｎｔａｔｉｏｎ）、ビデオ１（Ｖｉｄｅｏ１）、ビデオ２（Ｖｉｄｅｏ２）、ユーザ１（Ｕｓｅｒ１）、ユーザ２（Ｕｓｅｒ２）の各プリセット項目が表示されている。
【０００９】
最後に、このプリセット画面１０３で例えば「Ｖｉｄｅｏ１」にカーソルＫを合わせてプリセットの実行操作を行うと、図７Ｄに示すように、ピクチャ画面１０２のパラメータの値が、図７Ｃのデフォルト値からプリセット値に変更される。これによって、スクリーンに投射する現在の映像に対して、Ｖｉｄｅｏ１のプリセット値が適用されたことになる。そして、適用されたプリセット値の一部は、図７Ｄのピクチャ画面１０２で確認することができる。ここでは、プリセットの実行によって「Ｂｒｉｇｈｔｎｅｓｓ」「Ｃｏｎｔｒａｓｔ」「Ｔｉｎｔ」の値が変更されている。
【００１０】
しかしながら、図７Ｄのピクチャ画面１０２で表示されているプリセット値は、明るさ・コントラスト・色合い・色の４つのパラメータのみであり、これら以外のパラメータ、例えばシャープネスや色ゲインなどのプリセット値は、このピクチャ画面１０２からはわからない。そこで、これらのパラメータのプリセット値を確認するためには、図８に示すような操作が必要となる。すなわち、まず図８（ａ）で示すように、ピクチャ画面１０５で「Ａｄｖａｎｃｅｄ」にカーソルＫを合わせて実行操作を行う。すると、ピクチャ画面１０５の横に、図８（ｂ）に示すような詳細設定画面１０６が表示される。この画面１０６には、シャープネス（Ｓｈａｒｐｎｅｓｓ）のプリセット値のほか、色温度（Ｃｏｌｏｒ  Ｔｅｍｐ）、カラーコントロール（Ｃｏｌｏｒ  Ｃｏｎｔｒｏｌ）、ビデオ入力（Ｖｉｄｅｏ  Ｓｔａｎｄａｒｄ）の各項目が表示されている。次いで、この詳細設定画面１０６で「Ｃｏｌｏｒ  Ｃｏｎｔｒｏｌ」にカーソルＫを合わせて実行操作を行うと、詳細設定画面１０６の横に、図８（ｃ）に示すようなカラーコントロール画面１０７が表示される。この画面１０７には、赤色ゲイン（Ｒ  Ｇａｉｎ）、緑色ゲイン（Ｇ  Ｇａｉｎ）、青色ゲイン（Ｂ  Ｇａｉｎ）の各色ゲインのプリセット値が表示されている。
【００１１】
このようにして、図８（ｂ）、（ｃ）の画面を表示することで、シャープネスや色ゲインなどのプリセット値を確認することができるが、それでも、ここまでの操作で確認できるパラメータは画質に関するパラメータだけであって、左右反転、上下反転、台形歪み補正などの表示に関するパラメータについては、依然として確認することができない。そこで、これらのパラメータのプリセット値を確認するためには、更に、図９に示すような操作が必要となる。すなわち、まず図９（ａ）で示すように、メインメニュー画面１０８を表示し、この中の「Ｓｅｔｔｉｎｇ」にカーソルＫを合わせて実行操作を行うと、図９（ｂ）に示すような設定画面１０９が表示される。この画面１０９には、言語（Ｌａｎｇｕａｇｅ）、システム（Ｓｙｓｔｅｍ）、入力信号（Ｓｏｕｒｃｅ）の各項目が表示されている。次いで、この設定画面１０９で「Ｓｙｓｔｅｍ」にカーソルＫを合わせて実行操作を行うと、設定画面１０９の横に、図９（ｃ）に示すようなシステム画面１１０が表示される。この画面１１０には、左右反転（Ｒｅａｒ）、上下反転（Ｃｅｉｌｉｎｇ）、台形歪み補正（Ｋｅｙｓｔｏｎｅ）の各プリセット値が表示されている。
【００１２】
このように、従来のプロジェクタでは、全てのプリセット値を確認するためには、何回も項目選択の操作を反復して目的とするパラメータまでたどり着く必要があり、そのためには多大の手間と時間を要することから、ユーザにとって非常に不便なものであった。
【００１３】
なお、映像に関するパラメータの表示に関する先行技術として、例えば下記の特許文献１に記載されたものがある。本文献では、画質調整前の画像および画質パラメータ値が画面の左側に表示されるとともに、画質調整後の画像および画質パラメータ値が画面の右側に並べて表示される。そして、画質パラメータの調整操作を行うと、パラメータ値の変化に応じた画像が実質的にリアルタイムで調整前の画像と並べて表示され、また、そのときの画質パラメータの値も認識できるようになっている。このため、画面の左右に表示された同一画像を比較しつつ画質パラメータの値を調整することにより、容易に最適な画質を得ることができる。
【００１４】
しかしながら、特許文献１では、１つのパラメータについて、画質調整前と画質調整後のそれぞれの画像およびパラメータ値を並べて表示することが示されているだけであり、多数のパラメータのプリセット値を確認するにあたって、如何にして操作を簡略化するかということに関しては開示がされていない。したがって、特許文献１の技術では上述した問題点を解決することはできない。
【００１５】
【特許文献１】特開２００４−１８６９２７号公報（段落００１４−００２１、図２）
【発明の開示】
【発明が解決しようとする課題】
【００１６】
本発明は、前記の問題点に鑑み、多数のパラメータのプリセット値を確認するにあたって、操作を簡略化してユーザの使い勝手を向上させたプロジェクタを提供することを課題とする。
【課題を解決するための手段】
【００１７】
本発明は、映像に応じた複数のパラメータが予めメモリにプリセットされており、操作部で所定の操作を行うことにより、パラメータをスクリーン上に表示する機能を備えたプロジェクタにおいて、スクリーン上でパラメータに関する所定項目が選択され、プリセットに関する項目が選択され、かつ、パラメータのプリセット値が適用される映像に関する項目が選択されたことに基づいて、上記所定項目についてのパラメータのプリセット値が表示された第１のウィンドウと、この第１のウィンドウに表示されていないパラメータのプリセット値が表示された第２のウィンドウとをスクリーン上に並べて表示するようにしたものである。
【００１８】
本発明では、選択された項目についてのパラメータのプリセット値が第１のウィンドウに表示されるとともに、この第１のウィンドウに表れていない他のパラメータが第２のウィンドウに表示されるので、第２のウィンドウのパラメータを表示させるための操作を行うことなく、全てのパラメータを確認することができ、操作を簡略化して使い勝手を向上させることができる。
【００１９】
本発明の典型的な実施形態においては、操作部が、スクリーン上にメニュー画面を表示するためのメニューキーと、スクリーン上にプリセット画面を表示するためのプリセットキーとを有している。メニューキーを操作した場合は、前記各項目の選択に基づいて、第１および第２のウィンドウがスクリーン上に並べて表示される。また、プリセットキーを操作した場合は、プリセット画面において、パラメータのプリセット値が適用される映像に関する項目が選択されたことに基づいて、前記所定項目についてのパラメータのプリセット値および前記所定項目以外の項目についてのパラメータのプリセット値が一覧表示された第３のウィンドウがスクリーン上に表示される。
【００２０】
これによると、メニューキーを操作してメニュー画面からプリセットを実行する場合は、上述したように第１のウィンドウと第２のウィンドウが表示され、第１のウィンドウに表れていないパラメータが第２のウィンドウに表示されるので、操作を簡略化して各パラメータを確認することができる。また、プリセットキーを操作した場合は、メニュー画面をスキップして直接プリセット画面が表示され、プリセットの実行により各パラメータの一覧が第３のウィンドウに表示されるので、１つのウィンドウで全てのプリセット値を確認することができ、しかも、操作をより一層簡略化することができる。
【００２１】
また、本発明においては、プリセット値の適用によって変更されたパラメータの表示態様を、変更のないパラメータの表示態様と異ならせてもよい。これによると、プリセット値の適用によりどのパラメータに変更があったかを一目瞭然に知ることができる。
【発明の効果】
【００２２】
本発明によれば、第１のウィンドウに表示されていないパラメータのプリセット値が、第１のウィンドウと並べて表示される第２のウィンドウに表示されるので、多数のパラメータのプリセット値を確認する際の操作を簡略化して、ユーザの使い勝手を向上させることができる。
【発明を実施するための最良の形態】
【００２３】
以下、本発明の実施形態につき図を参照しながら説明する。
【００２４】
図１は、本発明の実施形態に係るプロジェクタの構成を示したブロック図である。１０は白色光を発するランプ、１１はランプ１０からの白色光を赤色光、緑色光、青色光に分離するカラーホイール、１２はカラーホイール１１を回転させるモータ、１３はカラーホイール１１で分離された各色光に基づいて画像を形成する画像形成素子、１４は画像形成素子１３で形成された画像をスクリーン１５に投射する投影レンズである。１６はビデオ信号やグラフィック信号などの入力信号に対して、フォーマット変換などの処理を行う信号処理部、１７は各部の動作の制御を行うマイクロコンピュータ（以下「マイコン」という。）、１８はＲＯＭやＲＡＭ等からなるメモリ、１９はプロジェクタ本体に設けられている操作部、２０はＬＥＤ（発光ダイオード）ランプなどからなる表示部、２１はリモコン２２からの信号を受信するリモコン受信部である。操作部１９は、メニューキー１９ａ、カーソルキー１９ｂ、実行キー１９ｃ、プリセットキー１９ｄを備えている。また、リモコン２２も操作部１９と同様に、メニューキー２２ａ、カーソルキー２２ｂ、実行キー２２ｃ、プリセットキー２２ｄを備えている。操作部１９およびリモコン２２は、本発明における操作部の一実施形態を構成する。
【００２５】
カラーホイール１１は、赤、緑、青のカラーフィルタが円周方向に交互に配列された円板からなり、モータ１２によりカラーホイール１１が回転すると、ランプ１０から発せられた白色光が、カラーホイール１１の回転位置に応じて赤、緑、青のカラーフィルタのいずれかを透過し、これによって白色光は、順次赤色光、緑色光、青色光に分離される。
【００２６】
画像形成素子１３は、例えばＤＭＤ（Digital
Micromirror Device）からなる。ＤＭＤは、半導体メモリ上に数十万個の微小なマイクロミラーが集積されたもので、メモリセルが割り当てられた個々のマイクロミラーにより画素が構成される。マイクロミラーは、２方向に傾動することができる構造になっていて、メモリ値に応じて静電吸引力によりいずれかの方向に傾動し、傾動方向によってＯＮ／ＯＦＦの２値の状態をとる。マイクロミラーがＯＮ状態にあるときは、ミラーで反射された光は投影レンズ１４に取り込まれ、投影レンズ１４を介してスクリーン１５上に投射される。一方、マイクロミラーがＯＦＦ状態にあるときは、ミラーで反射された光は投影レンズ１４に取り込まれず、スクリーン１５上に投射されない。したがって、信号処理部１６から出力される信号に基づいて、個々のマイクロミラーの動作状態をＯＮ／ＯＦＦに制御することで、ＤＭＤに所定のカラー画像を形成することができる。この場合、マイコン１７によって、カラーホイール１１の回転とＤＭＤの駆動との同期がとられる。
【００２７】
次に、上述したプロジェクタにおいてプリセットを実行する場合の手順を説明する。最初に、メニュー画面からプリセットを実行する場合につき、図２Ａ〜図２Ｅ、図３を参照しつつ説明する。
【００２８】
操作部１９のメニューキー１９ａ、またはリモコン２２のメニューキー２２ａを押すと、図２Ａに示すようなメインメニュー画面５１がスクリーン１５上に表示される。この画面５１には、終了（Ｅｘｉｔ）、画像（Ｐｉｃｔｕｒｅ）、設定（Ｓｅｔｔｉｎｇ）、情報（Ａｂｏｕｔ）の各項目が表示されている。「Ｐｉｃｔｕｒｅ」は映像の画質に関する項目であり、「Ｓｅｔｔｉｎｇ」はプロジェクタ機能の設定に関する項目であり、「Ａｂｏｕｔ」は信号形式やバージョン等の情報に関する項目である。なお、メインメニュー画面５１の画像は、ＯＳＤ（On Screen Display）データとしてメモリ１８に予め記憶されている。以後の各画面についても同様である。
【００２９】
続いて、このメインメニュー画面５１で例えば「Ｐｉｃｔｕｒｅ」にカーソルＫを合わせて実行操作を行う。カーソルＫは、カーソルキー１９ｂ，２２ｂの操作によって上下に移動させることができ、カーソルＫで項目を選択した後、実行キー１９ｃ，２２ｃを押すと実行操作が行われる。この実行操作が行われると、図２Ｂに示すように、メインメニュー画面５１の横にピクチャ画面５２が表示される。この画面５２には、明るさ（Ｂｒｉｇｈｔｎｅｓｓ）、コントラスト（Ｃｏｎｔｒａｓｔ）、色合い（Ｔｉｎｔ）、色（Ｃｏｌｏｒ）の各パラメータのデフォルト値（ここでは、いずれも５０）が表示されている。また、戻り（Ｐｒｅｖｉｏｕｓ）、プリセット（Ｐｒｅｓｅｔ）、詳細設定（Ａｄｖａｎｃｅｄ）の各項目も表示されている。ピクチャ画面５２は、本発明における第１のウィンドウの一実施形態を構成する。
【００３０】
次に、図２Ｂのピクチャ画面５２で「Ｐｒｅｓｅｔ」にカーソルＫを合わせて実行操作を行うと、図２Ｃに示すように、ピクチャ画面５２の横にプリセット画面５３が表示される。この画面５３には、プレゼンテーション（Ｐｒｅｓｅｎｔａｔｉｏｎ）、ビデオ１（Ｖｉｄｅｏ１）、ビデオ２（Ｖｉｄｅｏ２）、ユーザ１（Ｕｓｅｒ１）、ユーザ２（Ｕｓｅｒ２）の各プリセット項目が表示されている。「Ｐｒｅｓｅｎｔａｔｉｏｎ」は、パソコンで作成したプレゼンテーション用資料などの映像に適したプリセット項目であり、「Ｖｉｄｅｏ」は、ＤＶＤなどの映像に適したプリセット項目である。これらの項目については、それぞれの映像に応じた最適のプリセット値が予めメモリ１８に記憶されている。また、「Ｕｓｅｒ」は、ユーザにおいて任意に設定したパラメータを適用する場合のプリセット項目である。
【００３１】
次に、図２Ｃのプリセット画面５３において、カーソルＫで「Ｖｉｄｅｏ１」を選択すると、図２Ｄに示すように、プリセット画面５３の横にサブウィンドウ５４が表示される。このサブウィンドウ５４には、メインウィンドウであるピクチャ画面５２に表示されているパラメータ以外のパラメータ、すなわち、シャープネス（Ｓｈａｒｐｎｅｓｓ）、赤色ゲイン（Ｒ  Ｇａｉｎ）、緑色ゲイン（Ｇ  Ｇａｉｎ）、青色ゲイン（Ｂ  Ｇａｉｎ）、左右反転（Ｒｅａｒ）、上下反転（Ｃｅｉｌｉｎｇ）、台形歪み補正（Ｋｅｙｓｔｏｎｅ）の各パラメータのデフォルト値が表示されている。
【００３２】
次に、「Ｖｉｄｅｏ１」にカーソルＫを合わせた状態で、実行キー１９ｃ，２２ｃ（プリセットキー１９ｄ，２２ｄでもよい）を押すと、プリセットが実行され、「Ｖｉｄｅｏ１」で設定されているプリセット値が、投射しようとしている現在の映像に対して適用される。そして、このとき、図２Ｅに示すように、ピクチャ画面５２におけるパラメータの値と、サブウィンドウ５４におけるパラメータの値とが、デフォルト値からプリセット値に変更される。図の例では、プリセットの実行により、ピクチャ画面５２の「Ｂｒｉｇｈｔｎｅｓｓ」、「Ｃｏｎｔｒａｓｔ」、「Ｔｉｎｔ」の値と、サブウィンドウ５４の「Ｓｈａｒｐｎｅｓｓ」、「Ｇ  Ｇａｉｎ」の値が変更されている。
【００３３】
図３は、図２Ａ〜図２Ｅで説明した手順を表したフローチャートである。この手順は、マイコン１７が所定のプログラムに従って実行する。
【００３４】
ステップＳ１では、メニューキー１９ａ，２２ａが押されるのを待ち、メニューキーが押されると（ステップＳ１：ＹＥＳ）、図２Ａに示したメインメニュー画面５１をスクリーン１５上に表示する（ステップＳ２）。続いて、ステップＳ３で「Ｐｉｃｔｕｒｅ」が選択されたか否かを判定する。「Ｐｉｃｔｕｒｅ」が選択されると（ステップＳ３：ＹＥＳ）、ステップＳ４へ進み、図２Ｂに示したピクチャ画面５２を表示する。「Ｐｉｃｔｕｒｅ」が選択されなかった場合は（ステップＳ３：ＮＯ）、他の項目についての処理を行う。
【００３５】
ステップＳ４でピクチャ画面５２を表示した後、ステップＳ５で「Ｐｒｅｓｅｔ」が選択されたか否かを判定する。「Ｐｒｅｓｅｔ」が選択されると（ステップＳ５：ＹＥＳ）、ステップＳ６へ進み、図２Ｃに示したプリセット画面５３を表示する。「Ｐｒｅｓｅｔ」が選択されなかった場合は（ステップＳ５：ＮＯ）、他の項目についての処理を行う。
【００３６】
ステップＳ６でプリセット画面５３を表示した後、ステップＳ７でプリセット項目が選択されるのを待つ。プリセット項目の例えば「Ｖｉｄｅｏ１」が選択されると（ステップＳ７：ＹＥＳ）、ステップＳ８へ進んで、図２Ｄに示したように、「Ｖｉｄｅｏ１」についてのサブウィンドウ５４を表示する。その後、ステップＳ９でプリセットの実行操作を待ち、プリセットが実行されると（ステップＳ９：ＹＥＳ）、図２Ｅに示したように、ピクチャ画面５２に表示されているパラメータ値をプリセット値に変更し（ステップＳ１０）、これと同時に、サブウィンドウ５４に表示されているパラメータ値もプリセット値に変更する（ステップＳ１１）。
【００３７】
パラメータ値の表示が変更されると、続くステップＳ１２で一定時間が経過したか否かを監視する。そして、一定時間が経過すると（ステップＳ１２：ＹＥＳ）、スクリーン１５上のサブウィンドウ５４を消去して（ステップＳ１３）、以後の処理へ移る。なお、一定時間経過後にサブウィンドウ５４を消去することは本発明において必須ではなく、サブウィンドウ５４の表示を継続してもよい。この場合は、ステップＳ１２、Ｓ１３は省略される。
【００３８】
このようにして、上述した実施形態においては、メニューキー１９ａ，２２ａを操作してメインメニュー画面５１からパラメータの確認を行う場合に、「Ｐｉｃｔｕｒｅ」→「Ｐｒｅｓｅｔ」→「Ｖｉｄｅｏ１」を順次選択して、プリセットを実行することにより、投射しようとする現在の映像に対して適用される画質パラメータのプリセット値がピクチャ画面５２に表示されるとともに、ピクチャ画面５２に表示されない他のパラメータが全てサブウィンドウ５４に表示されるようになっている。従来であれば、サブウィンドウ５４に表示される「Ｓｈａｒｐｎｅｓｓ」のパラメータ値は、ピクチャ画面５２で「Ａｄｖａｎｃｅｄ」を選択しなければ表示されず（図８）、サブウィンドウ５４に表示される「Ｒ  Ｇａｉｎ」「Ｇ  Ｇａｉｎ」「Ｂ  Ｇａｉｎ」の各パラメータ値は、「Ａｄｖａｎｃｅｄ」から更に「Ｃｏｌｏｒ  Ｃｏｎｔｒｏｌ」を選択しなければ表示されず（図８）、また、「Ｒｅａｒ」「Ｃｅｉｌｉｎｇ」「Ｋｅｙｓｔｏｎｅ」の各パラメータ値は、メインメニュー画面５１で「Ｓｅｔｔｉｎｇ」を選択し、更に「Ｓｙｓｔｅｍ」を選択しなければ表示されなかったが（図９）、本発明では、上述した操作を行うだけで全てのパラメータを一度に確認することが可能となるので、適用される多数のプリセット値を確認する際に、操作が大幅に簡略化され、ユーザの使い勝手を向上させることができる。
【００３９】
なお、上述した実施形態では、図２Ｄに示したように、プリセット項目（図では「Ｖｉｄｅｏ１」）がカーソルＫで選択された時点で、デフォルト値が表示されたサブウィンドウ５４を表示しているが、他の方法として、この時点ではサブウィンドウ５４を表示せず、プリセットが実行された時点で、図２Ｅのようなプリセット値が表示されたサブウィンドウ５４を表示するようにしてもよい。また、他の方法として、プリセット項目がカーソルＫで選択された時点で、図２Ｅのようなプリセット値が表示されたサブウィンドウ５４を表示し、プリセットを実行する前にプリセット値を確認できるようにしてもよい。
【００４０】
次に、メニューキーを使わずプリセットキーでプリセットを実行する場合につき、図４Ａ〜図４Ｂ、図５を参照しつつ説明する。操作部１９のプリセットキー１９ｄ、またはリモコン２２のプリセットキー２２ｄを押すと、図４Ａに示すプリセット画面６１がスクリーン１５上に表示される。このプリセット画面６１は、図２Ｃで示したプリセット画面５３と同じものである。すなわち、プリセットキー１９ｄ，２２ｄを押した場合は、メニュー画面は表示されずに、直接プリセット画面６１が表示される。
【００４１】
今、図４Ａのように、プリセット画面６１でカーソルＫにより「Ｖｉｄｅｏ１」を選択した状態で、実行キー１９ｃ，２２ｃ（プリセットキー１９ｄ，２２ｄでもよい）を押すと、プリセットが実行され、「Ｖｉｄｅｏ１」で設定されているプリセット値が、投射しようとしている現在の映像に対して適用される。そして、このとき、図４Ｂに示すように、全てのパラメータのプリセット値が一覧ウィンドウ６２に表示される。すなわち、一覧ウィンドウ６２には、図２Ｅのピクチャ画面５２に表示されているプリセット値と、サブウィンドウ５４に表示されているプリセット値とをあわせたものが表示される。この一覧ウィンドウ６２は、本発明における第３のウィンドウの一実施形態を構成する。
【００４２】
図５は、図４Ａ〜図４Ｂで説明した手順を表したフローチャートである。この手順は、マイコン１７が所定のプログラムに従って実行する。
【００４３】
ステップＳ２１では、プリセットキー１９ｄ，２２ｄが押されるのを待ち、プリセットキーが押されると（ステップＳ２１：ＹＥＳ）、図４Ａに示したプリセット画面６１をスクリーン１５上に表示する（ステップＳ２２）。続いて、ステップＳ２３でプリセット項目が選択されるのを待つ。プリセット項目の例えば「Ｖｉｄｅｏ１」が選択されると（ステップＳ２３：ＹＥＳ）、ステップＳ２４へ進んで、図４Ｂに示したように、選択項目（Ｖｉｄｅｏ１）についての全てのプリセット値の一覧ウィンドウ６２をスクリーン１５上に表示する。その後は、以降の処理へ移る。
【００４４】
このようにして、上述した実施形態においては、プリセットキー１９ｄ，２２ｄの操作によって直接プリセット画面６１が表示され、プリセット項目を選択してプリセットを実行すると、各プリセット値が一覧ウィンドウ６２に一覧表示されるようになっている。このため、１つのウィンドウで全てのプリセット値を確認することができるとともに、適用される多数のプリセット値を確認する際の操作がより一層簡略化され、ユーザの使い勝手を更に向上させることができる。
【００４５】
本発明では、上述した実施形態以外にも、種々の実施形態を採用することができる。例えば、図６（ａ）に符号７１で示すように、プリセット実行時に、適用されるプリセット値の変更部分をフラッシュ表示させてもよい。また、これに代えて、図６（ｂ）に符号７２で示すように、変更部分をハイライト表示させてもよい。あるいは、これらに代えて、変更部分の輝度を上げたり、異なる色で表示したりしてもよい。このようにすると、プリセット値の適用によりどのパラメータに変更があったかを一目瞭然に知ることができる。
【００４６】
また、他の実施形態として、図６（ｃ）に符号７３で示すように、プリセット値の変更部分につき、その変更がどのような意味を持つのかをコメント表示するようにしてもよい。このようにすると、プリセット値の適用によりどのパラメータに変更があったかを一目瞭然に知ることができることに加え、プロジェクタの扱いに不慣れな者であっても、プリセット値の意味を容易に理解することができる。なお、コメント表示をするか否かをユーザで選択できるようにすることも可能である。
【００４７】
以上述べた実施形態では、メニュー画面５１で「Ｐｉｃｔｕｒｅ」を選択した場合を例に挙げたが、「Ｓｅｔｔｉｎｇ」を選択した場合も、同様の原理に従って各パラメータを表示させることができる。
【図面の簡単な説明】
【００４８】
【図１】本発明の実施形態に係るプロジェクタの構成を示したブロック図である。
【図２Ａ】メニュー画面からプリセットを実行する場合のプリセット値表示の手順を説明する画面図である。
【図２Ｂ】同手順を説明する画面図である。
【図２Ｃ】同手順を説明する画面図である。
【図２Ｄ】同手順を説明する画面図である。
【図２Ｅ】同手順を説明する画面図である。
【図３】同手順を示したフローチャートである。
【図４Ａ】プリセットキーでプリセットを実行する場合のプリセット値表示の手順を説明する画面図である。
【図４Ｂ】同手順を説明する画面図である。
【図５】同手順を示したフローチャートである。
【図６】他の実施形態によるプリセット値表示の例である。
【図７Ａ】従来のプロジェクタにおけるプリセット値表示の手順を説明する画面図である。
【図７Ｂ】同手順を説明する画面図である。
【図７Ｃ】同手順を説明する画面図である。
【図７Ｄ】同手順を説明する画面図である。
【図８】同手順を説明する画面図である。
【図９】同手順を説明する画面図である。
【符号の説明】
【００４９】
１３  画像形成素子
１４  投影レンズ
１５  スクリーン
１６  信号処理部
１７  マイクロコンピュータ
１８  メモリ
１９  操作部
１９ａ  メニューキー
１９ｄ  プリセットキー
２２  リモコン
２２ａ  メニューキー
２２ｄ  プリセットキー
５１  メインメニュー画面
５２  ピクチャ画面（第１のウィンドウ）
５３  プリセット画面
５４  サブウィンドウ（第２のウィンドウ）
６１  プリセット画面
６２  一覧ウィンドウ（第３のウィンドウ）
【図１】
2007178746.tif 000003
【図２Ａ】
2007178746.tif 000004
【図２Ｂ】
2007178746.tif 000005
【図２Ｃ】
2007178746.tif 000006
【図２Ｄ】
2007178746.tif 000007
【図２Ｅ】
2007178746.tif 000008
【図３】
2007178746.tif 000009
【図４Ａ】
2007178746.tif 000010
【図４Ｂ】
2007178746.tif 000011
【図５】
2007178746.tif 000012
【図６】
2007178746.tif 000013
【図７Ａ】
2007178746.tif 000014
【図７Ｂ】
2007178746.tif 000015
【図７Ｃ】
2007178746.tif 000016
【図７Ｄ】
2007178746.tif 000017
【図８】
2007178746.tif 000018
【図９】
2007178746.tif 000019